(57)【要約】【課題】  基板において、第１の側に放射電極が設けられ、第２の側にグランドレベルに設定される導電領域が設けられている場合に、放射電極の第１の側の放射指向性を向上させることのできる技術を提供する。【解決手段】  通信装置は、基板と、基板に設けられた放射電極と、基板に設けられた第１の導電領域と、基板に設けられた第１の導電線と、を備える。放射電極は、基板における所定方向の終点側である第１の側に配置される。第１の導電領域は、該所定方向の始点側である第２の側に配置され、グランドレベルに設定される。第１の導電線は、放射電極と第１の導電領域との間に配置される。【選択図】  図２
2006237915.tif 000002
【特許請求の範囲】
【請求項１】
通信装置であって、
基板と、
前記基板に設けられた第１の放射電極であって、基板における所定方向の終点側である第１の側に配置された前記第１の放射電極と、
前記基板に設けられた第１の導電領域であって、前記所定方向の始点側である第２の側に配置され、グランドレベルに設定される前記第１の導電領域と、
前記基板に設けられた第１の導電線であって、前記第１の放射電極と前記第１の導電領域との間に配置された前記第１の導電線と、
を備えることを特徴とする通信装置。
【請求項２】
請求項１記載の通信装置であって、
前記第１の導電線は、前記所定方向とほぼ直交するように延びる第１の部分導電線を含む、通信装置。
【請求項３】
請求項２記載の通信装置であって、
前記第１の導電線は、折り返されている、通信装置。
【請求項４】
請求項２記載の通信装置であって、
前記第１の導電線は、前記第１の側と前記第２の側とに折り返されており、
前記第１の導電線は、
前記第１の部分導電線の前記第１の側に設けられ、前記第１の部分導電線とほぼ平行に延びる第２の部分導電線と、
前記第２の部分導電線の前記第２の側に設けられ、前記第１の部分導電線とほぼ平行に延びる第３の部分導電線と、
を含む、通信装置。
【請求項５】
請求項１ないし４のいずれかに記載の通信装置であって、
前記第１の導電線は、前記第１の導電領域と電気的に接続されている、通信装置。
【請求項６】
請求項１ないし５のいずれかに記載の通信装置であって、さらに、
前記基板に設けられた第２の導電線であって、前記第１の放射電極の前記第１の側に配置された前記第２の導電線を備える、通信装置。
【請求項７】
請求項６記載の通信装置であって、
前記第２の導電線は、前記所定方向とほぼ直交するように延びる部分導電線を含む、通信装置。
【請求項８】
請求項６または７記載の通信装置であって、
前記第２の導電線は、前記第１の導電領域と電気的に接続されている、通信装置。
【請求項９】
請求項１ないし８のいずれかに記載の通信装置であって、さらに、
前記基板に設けられた第２の放射電極であって、前記第１の側に配置された前記第２の放射電極と、
前記基板に設けられた第２の導電領域であって、前記第１の導電領域と接続され、前記第１の放射電極と前記第２の放射電極との間を通る前記第２の導電領域と、
を備える、通信装置。
【発明の詳細な説明】
【技術分野】
【０００１】
本発明は、通信装置に関し、放射指向性を改善するための技術に関する。
【背景技術】
【０００２】
無線通信を行う無線通信装置が多く利用されている。無線通信装置の小型化の要請により、近年では、放射電極が装置の内部（すなわち装置の筐体の内側）に収納されている。放射電極が装置内部に設けられる場合には、放射電極は、通常、他の電子部品と共に、基板上に設けられる。
【０００３】
【特許文献１】特開２００４−１２８５５７号公報
【発明の開示】
【発明が解決しようとする課題】
【０００４】
ところで、放射電極が基板に設けられる場合には、放射指向性は、基板に形成されたグランドパターン（ベタパターン）の配置に大きく依存する。具体的には、基板において、所定方向の終点側である第１の側に放射電極が設けられ、所定方向の始点側である第２の側にグランドパターンが設けられている場合には、放射指向性は、放射電極の第１の側よりも第２の側で高くなる。
【０００５】
しかしながら、要求される放射指向性は、例えば通信装置が使用される場所などに応じて異なる。このため、放射電極の第１の側の放射指向性を向上させることが要求される場合もある。
【０００６】
この発明は、従来技術における上述の課題を解決するためになされたものであり、基板において、第１の側に放射電極が設けられ、第２の側にグランドレベルに設定される導電領域が設けられている場合に、放射電極の第１の側の放射指向性を向上させることを目的とする。
【課題を解決するための手段】
【０００７】
上述の課題の少なくとも一部を解決するため、本発明の装置は、通信装置であって、
基板と、
前記基板に設けられた第１の放射電極であって、基板における所定方向の終点側である第１の側に配置された前記第１の放射電極と、
前記基板に設けられた第１の導電領域であって、前記所定方向の始点側である第２の側に配置され、グランドレベルに設定される前記第１の導電領域と、
前記基板に設けられた第１の導電線であって、前記第１の放射電極と前記第１の導電領域との間に配置された前記第１の導電線と、
を備えることを特徴とする。
【０００８】
この装置では、第１の放射電極と第１の導電領域との間に第１の導電線が設けられているため、第１の導電線が設けられていない場合と比較して、第１の放射電極の第１の側の放射指向性を向上させることができる。
【０００９】
上記の装置において、
前記第１の導電線は、前記所定方向とほぼ直交するように延びる第１の部分導電線を含むことが好ましい。
【００１０】
上記の装置において、
前記第１の導電線は、折り返されていてもよい。
【００１１】
こうすれば、基板の寸法が小さい場合にも、第１の導電線の長さを比較的長くすることができる。
【００１２】
上記の装置において、
前記第１の導電線は、前記第１の側と前記第２の側とに折り返されており、
前記第１の導電線は、
前記第１の部分導電線の前記第１の側に設けられ、前記第１の部分導電線とほぼ平行に延びる第２の部分導電線と、
前記第２の部分導電線の前記第２の側に設けられ、前記第１の部分導電線とほぼ平行に延びる第３の部分導電線と、
を含むようにしてもよい。
【００１３】
上記の装置において、
前記第１の導電線は、前記第１の導電領域と電気的に接続されていてもよい。
【００１４】
上記の装置において、さらに、
前記基板に設けられた第２の導電線であって、前記第１の放射電極の前記第１の側に配置された前記第２の導電線を備えるようにしてもよい。
【００１５】
こうすれば、第１の放射電極の第１の側の放射指向性をさらに向上させることができる。
【００１６】
上記の装置において、
前記第２の導電線は、前記所定方向とほぼ直交するように延びる部分導電線を含むことが好ましい。
【００１７】
上記の装置において、
前記第２の導電線は、前記第１の導電領域と電気的に接続されていてもよい。
【００１８】
上記の装置において、さらに、
前記基板に設けられた第２の放射電極であって、前記第１の側に配置された前記第２の放射電極と、
前記基板に設けられた第２の導電領域であって、前記第１の導電領域と接続され、前記第１の放射電極と前記第２の放射電極との間を通る前記第２の導電領域と、
を備えるようにしてもよい。
【００１９】
こうすれば、２つの放射電極が基板に設けられる場合にも、放射電極間の相互の影響を低減させることができる。
【発明を実施するための最良の形態】
【００２０】
Ａ．第１実施例：
Ａ−１．通信システムの概略構成：
次に、本発明の実施の形態を実施例に基づき説明する。図１は、通信システムの一例を示す説明図である。通信システムは、２つの通信デバイス５０Ａ，５０Ｂを備えている。第１の通信デバイス５０Ａは、カード型の通信用アダプタ２００が実装されたコンピュータ１００であり、第２の通信デバイス５０Ｂは、第１の通信デバイス５０Ａのアクセスポイントとして機能する機器である。本実施例では、２つの通信デバイス５０Ａ，５０Ｂの間では、ＩＥＥＥ８０２．１１ｂ規格に従って、２．４ＧＨｚ帯の周波数を利用する無線通信が行われる。
【００２１】
Ａ−２．通信用アダプタの基板の構成：
図２は、通信用アダプタの内部構成を示す説明図である。図２（Ａ）は比較例における通信用アダプタ２００ｚの内部構成を示しており、図２（Ｂ）は第１実施例における通信用アダプタ２００の内部構成を示している。なお、通信用アダプタは、図中−Ｙ側からコンピュータ１００に設けられたスロットに挿入される（図１参照）。
【００２２】
図２（Ａ）に示すように、通信用アダプタ２００ｚの内部には、略矩形の基板２０２ｚが設けられている。基板２０２ｚの裏面（すなわち図中−Ｚ側の面）には、グランドレベルに設定される導電パターン（ベタパターン）２５０ｚが形成されている。基板２０２ｚの表面（すなわち図中＋Ｚ側の面）には、２つの放射電極２１１，２１２が設けられていると共に、２つの放射電極２１１，２１２に接続された２つの給電用パターン２２１，２２２が形成されている。なお、本実施例では、放射電極２１１，２１２として、チップアンテナが利用されている。また、基板２０２ｚの表面には、実際には、他の電子部品（例えば送信回路や受信回路を構成する部品）も設けられるが、図示は省略されている。
【００２３】
導電パターン２５０ｚは、基板２０２ｚの−Ｙ側の辺から＋Ｙ側の辺に向けて連続する３つの導電領域２５１〜２５３を含んでいる。第１の導電領域２５１は、基板２０２ｚの幅とほぼ等しい最も大きな幅Ｄａを有する矩形領域であり、第２の導電領域２５２は、幅Ｄａよりも小さな幅Ｄｂを有する矩形領域であり、第３の導電領域２５３は、最も小さな幅Ｄｃを有する矩形領域である。なお、導電パターン２５０ｚは、図中Ｙ方向と平行な中心線ＣＬに対して対称に形成されている。
【００２４】
２つの放射電極２１１，２１２は、導電パターン２５０ｚと重ならないように、基板２０２ｚの＋Ｙ側の２つの隅の付近に設けられている。第１の放射電極２１１は、第３の導電領域２５３の−Ｘ側の領域に設けられており、第２の放射電極２１２は、第３の導電領域２５３の＋Ｘ側の領域に設けられている。
【００２５】
図２（Ａ）に示すように、各放射電極２１１，２１２が基板の＋Ｙ側に配置され、導電パターン２５０ｚの殆どの部分（より具体的には、第１の導電領域２５１）が基板の−Ｙ側に配置されている場合には、各放射電極２１１，２１２の放射指向性は−Ｙ側で比較的高くなり、＋Ｙ側で比較的低くなる。
【００２６】
ところで、２つの通信デバイス５０Ａ，５０Ｂが図１に示すように配置される場合には、より具体的には、第２の通信デバイス５０Ｂが第１の通信デバイス５０Ａの＋Ｙ側に配置される場合には、通信用アダプタの放射指向性は、＋Ｙ側で比較的高いことが好ましい。しかしながら、図２（Ａ）に示す比較例の通信用アダプタ２００ｚでは、放射指向性は＋Ｙ側で比較的低い。
【００２７】
そこで、本実施例では、図２（Ｂ）に示すように、通信用アダプタ２００の＋Ｙ側の放射指向性が改善されるように、導電パターン２５０の形状が工夫されている。
【００２８】
具体的には、導電パターン２５０は、比較例の導電パターン２５０ｚ（図２（Ａ））と同様に３つの導電領域２５１〜２５３を含んでいる。また、導電パターン２５０は、第２の導電領域２５２の−Ｘ側および＋Ｘ側に設けられた２つの導電線２６１，２６２と、第３の導電領域２５３の−Ｘ側および＋Ｘ側に設けられた２つの導電線２７１，２７２と、を含んでいる。なお、導電パターン２５０は、図中Ｙ方向と平行な中心線ＣＬに対して対称に形成されている。
【００２９】
第１の導電線２６１は、折り返されており、略錨状（アンカ状）の形状を有している。具体的には、第１の導電線２６１は、５つの直線状の部分導電線２６１ａ〜２６１ｅで構成されており、３つの部分導電線２６１ａ，２６１ｃ，２６１ｅは、比較的長く、他の２つの部分導電線２６１ｂ，２６１ｄは比較的短い。第１の部分導電線２６１ａは、第２の導電領域２５２と接続されており、Ｘ方向と平行に基板２０２の−Ｘ側の辺まで延びている。第２の部分導電線２６１ｂは、第１の部分導電線２６１ａと接続されており、基板２０２の−Ｘ側の辺に沿って＋Ｙ方向に延びている。第３の部分導電線２６１ｃは、第２の部分導電線２６１ｂと接続されており、Ｘ方向と平行に第２の導電領域２５２付近まで延びている。また、第４の部分導電線２６１ｄは、第１の部分導電線２６１ａと接続されており、基板２０２の−Ｘ側の辺に沿って−Ｙ方向に延びている。第５の部分導電線２６１ｅは、第４の部分導電線２６１ｄと接続されており、Ｘ方向と平行に第２の導電領域２５２付近まで延びている。なお、第２の導電線２６２は、第１の導電線２６１と対称に設けられており、第２の導電線２６２も、第１の導電線２６１と同様に、５つの直線状の部分導電線２６２ａ〜２６２ｅで構成されている。
【００３０】
第３の導電線２７１は、直線状の形状を有している。第３の導電線２７１は、第３の導電領域２５３と接続されており、基板２０２の＋Ｙ側の辺に沿うように、基板２０２の−Ｘ側の辺まで延びている。なお、第４の導電線２７２は、第３の導電線２７１と対称に設けられている。
【００３１】
図３は、導電パターン２５０の具体的な寸法の一例を示す説明図である。なお、図３では、基板２０２の裏面（−Ｚ側の面）が示されている。また、図３では、主要な寸法のみが示されている。前述したように、導電パターン２５０は、中心線ＣＬに対して対称に形成されている。このため、以下では、−Ｘ側の寸法に注目して説明するが、＋Ｘ側の寸法も同様である。
【００３２】
図示するように、第２の導電領域２５２の−Ｘ側の辺は、基板２０２の−Ｘ側の辺から約１２．０ｍｍ内側に位置している。第３の導電領域２５３の−Ｘ側の辺は、第２の導電領域２５２の−Ｘ側の辺から約７．５ｍｍ内側に位置している。また、第３の導電領域２５３の−Ｘ側の辺の長さは、約８．０ｍｍに設定されている。第１の導電線２６１に含まれる第１の部分導電線２６１ａは、約３．０ｍｍの幅を有しており、第３および第５の部分導電線２６１ｃ，２６１ｅは、約１．０ｍｍの幅を有している。第１および第３の部分導電線２６１ａ，２６１ｃの間隔は、換言すれば、第２の部分導電線２６１ｂの長さは、約２．０ｍｍに設定されている。同様に、第１および第５の部分導電線２６１ａ，２６１ｅの間隔は、換言すれば、第４の部分導電線２６１ｄの長さは、約２．０ｍｍに設定されている。第３および第５の部分導電線２６１ｃ，２６１ｅのそれぞれと第２の導電領域２５２との間隔は、約０．５ｍｍに設定されている。第１の導電領域２５１と第１の導電線２６１との間隔は、より具体的には、第１の導電領域２５１の＋Ｙ側の辺と第５の部分導電線２６１ｅの−Ｙ側の辺との間隔は、約１３．０ｍｍに設定されている。上記の寸法から分かるように、第１，第２，第３の部分導電線２６１ａ，２６１ｂ，２６１ｃを含む一連の導電線は、約２５．５ｍｍの長さを有している。また、第１，第４，第５の部分導電線２６１ａ，２６１ｄ，２６１ｅを含む一連の導電線も、約２５．５ｍｍの長さを有している。第３の導電線２７１は、約０．５ｍｍの幅、約１９．５ｍｍの長さを有している。
【００３３】
本実施例では、上記の形状を有する導電パターン２５０を採用することによって、各放射電極２１１，２１２が基板の＋Ｙ側に配置され、導電パターン２５０の殆どの部分（より具体的には、第１の導電領域２５１）が基板の−Ｙ側に配置されている場合にも、図２（Ｂ）に示すように、＋Ｙ側の放射指向性を向上させることができる。
【００３４】
図２（Ｂ）に示すように、＋Ｙ側の放射指向性が向上するのは、第１および第２の導電線２６１，２６２が、−Ｙ側からの不要な電波を遮ったり、＋Ｙ側からの必要な電波を放射電極２１１，２１２に向けて反射したりする反射器として機能するためであると考えられる。また、第３および第４の導電線２７１，２７２が、放射電極２１１，２１２から放射された電波を＋Ｙ側へ導いたり、＋Ｙ側からの電波を放射電極２１１，２１２に導くための導波器として機能するためであると考えられる。この説明から分かるように、図２（Ｂ）では、第１の放射電極２１１と、反射器として機能する第１の導電線２６１と、導波器として機能する第３の導電線２７１とが、第１のアンテナとして機能する。また、第２の放射電極２１２と、反射器として機能する第２の導電線２６２と、導波器として機能する第４の導電線２７２とが、第２のアンテナとして機能する。
【００３５】
また、本実施例では、各放射電極２１１，２１２は、基板２０２の隅付近に配置されている。こうすれば、各放射電極の周囲には他の電子部品が実装されないため、各放射電極が基板の中央に配置されて各放射電極の周囲に他の電子部品が実装される場合と比較して、他の電子部品の影響を受け難く、この結果、各放射電極を含む各アンテナのアンテナ特性を向上させることができる。
【００３６】
さらに、本実施例では、２つの放射電極２１１，２１２の間を通るように、第１の導電領域２５１と接続された第２および第３の導電領域２５２，２５３が延びている。こうすれば、２つの放射電極間に第２および第３の導電領域２５２，２５３が設けられない場合と比較して、放射電極間の相互の影響（カップリング）が低減され、この結果、各放射電極を含む各アンテナのアンテナ特性を向上させることができる。具体的には、第１の給電用パターン２２１を介して第１の放射電極２１１へ給電する場合には、第２の放射電極２１２に接続された第２の給電用パターン２２２にも、電流密度の変化が発生し得る。しかしながら、上記のように第２および第３の導電領域２５２，２５３を挟むように２つの放射電極２１１，２１２を配置すれば、第２の給電用パターン２２２における電流密度の変化の発生を抑制することができ、この結果、各アンテナのアンテナ特性を向上させることができる。
【００３７】
なお、本実施例における＋Ｙ方向が本発明における所定方向に相当し、＋Ｙ方向の終点側である＋Ｙ側が第１の側に相当し、＋Ｙ方向の始点側である−Ｙ側が第２の側に相当する。そして、＋Ｙ側に設けられた第１および第２の放射電極２１１，２１２が本発明における第１および第２の放射電極に相当し、−Ｙ側に設けられた第１の導電領域２５１が本発明における第１の導電領域に相当する。また、本実施例における第１の放射電極２１１と第１の導電領域２５１との間に設けられた導電線２６１が、本発明における第１の導電線に相当し、第１の放射電極２１１の＋Ｙ側に設けられた導電線２７１が本発明における第２の導電線に相当する。第１の導電領域２５１と接続され、２つの放射電極の間を通る第２および第３の導電領域２５２，２５３が本発明における第２の導電領域に相当する。
【００３８】
なお、本実施例では、導電パターンの形状を工夫することによって、＋Ｙ側の放射指向性が−Ｙ側の放射指向性よりも高くなっているが、これに代えて、＋Ｙ側の放射指向性は、−Ｙ側の放射指向性とほぼ同等であってもよいし、−Ｙ側の放射指向性よりも低くてもよい。すなわち、＋Ｙ側の放射指向性は、通信用アダプタに対する要求が満足されるように、改善されればよい。
【００３９】
Ａ−３．導電パターンに応じた放射指向性：
図４は、基板に設けられた導電パターンの種々の例を示す説明図である。図４（Ａ）の第１の基板２０２ａは、図２（Ａ）の基板２０２ｚと同じであり、第１の基板２０２ａには、３つの導電領域２５１〜２５３を含む導電パターン２５０ａが形成されている。
【００４０】
図４（Ｂ）の第２の基板２０２ｂは、図４（Ａ）の第１の基板２０２ａとほぼ同じであるが、第２の基板２０２ｂに形成された導電パターン２５０ｂでは、図２（Ｂ）に示す第３および第４の導電線２７１，２７２が追加されている。
【００４１】
図４（Ｃ）の第３の基板２０２ｃは、図４（Ａ）の第１の基板２０２ａとほぼ同じであるが、第３の基板２０２ｃに形成された導電パターン２５０ｃでは、図２（Ｂ）に示す第１および第２の導電線２６１，２６２が追加されている。
【００４２】
図４（Ｄ）の第４の基板２０２ｄは、図２（Ｂ）の基板２０２と同じであり、第４の基板２０２ｄには、３つの導電領域２５１〜２５３と、第１および第２の導電線２６１，２６２と、第３および第４の導電線２７１，２７２と、を含む導電パターン２５０ｄが形成されている。
【００４３】
図４（Ｅ）の第５の基板２０２ｅは、図４（Ｄ）の第４の基板２０２ｄとほぼ同じであるが、導電線２６１，２６２が導電線２６６，２６７に変更されている。第１の導電線２６６は、図示するように、折り返されており、略釣り針状（フック状）の形状を有している。具体的には、第１の導電線２６６は、図４（Ｅ）の導電線２７１と同様に、第１ないし第３の部分導電線２６１ａ〜２６１ｃを含んでいるが、第４，第５の部分導電線２６１ｄ，２６１ｅが省略されている。なお、第２の導電線２６７は、第１の導電線２６６と同様に、３つの部分導電線２６２ａ〜２６２ｃを含んでいる。
【００４４】
図５は、放射電極を含むアンテナの放射指向性を示すグラフである。図５（Ａ）〜（Ｅ）のグラフは、それぞれ図４（Ａ）〜（Ｅ）に示す第１の放射電極２１１を含む第１のアンテナのＸＹ面における放射指向性を示している。なお、各グラフでは、無指向性の基準アンテナに対する第１のアンテナの利得（電界比）が真数で表されている。
【００４５】
図４（Ａ）の導電パターン２５０ａが採用される場合には、図５（Ａ）に示すように、放射指向性は、−Ｙ側で比較的高く、＋Ｙ側で比較的低い。図４（Ｂ）の導電パターン２５０ｂが採用される場合にも、図５（Ｂ）に示すように、放射指向性は、−Ｙ側で比較的高く、＋Ｙ側で比較的低い。一方、図４（Ｃ）〜（Ｅ）の導電パターン２５０ｃ〜２５０ｅが採用される場合には、図５（Ｃ）〜（Ｅ）に示すように、＋Ｙ側の放射指向性が向上している。
【００４６】
すなわち、図４（Ｃ）〜（Ｅ）に示すように、第１の放射電極２１１と第１の導電領域２５１との間に第１の導電線２６１を設けることによって、第１の導電線２６１が設けられていない場合と比較して、第１の放射電極２１１を含む第１のアンテナの＋Ｙ側の放射指向性を向上させることができる。
【００４７】
特に、図５（Ａ），（Ｂ）を比較して分かるように、第１の放射電極２１１の−Ｙ側に第１の導電線２６１が設けられていない場合（図４（Ａ），（Ｂ））には、第３の導電線２７１を設けることによる＋Ｙ側への放射指向性の向上は殆ど観察されない。しかしながら、図５（Ｃ），（Ｄ）を比較して分かるように、第１の放射電極２１１の−Ｙ側に第１の導電線２６１が設けられている場合（図４（Ｃ），（Ｄ））には、第３の導電線２７１を設けることによる＋Ｙ側への放射指向性の向上が観察される。
【００４８】
また、図５（Ｄ），（Ｅ）を比較して分かるように、略錨状の第１の導電線２６１が設けられている場合（図４（Ｄ））には、略釣り針状の第１の導電線２６６が設けられている場合（図４（Ｅ））と比較して、−Ｙ側の放射指向性を低減させることができる。
【００４９】
本実施例では、図４（Ｄ）の導電パターン２５０ｄが採用されているが、これに代えて、図４（Ｃ），図４（Ｅ）の導電パターン２５０ｃ，２５０ｅが採用されてもよい。
【００５０】
ただし、図４（Ｄ），（Ｅ）の導電パターン２５０ｄ，２５０ｅを採用すれば、＋Ｙ側の放射指向性を向上させることができると共に、放射電極間のカップリングを抑制することができるという利点がある。具体的には、図４（Ｄ），（Ｅ）では、第１および第２の放射電極２１１，２１２の＋Ｙ側に、第３の導電領域２５３と接続された第３および第４の導電線２７１，２７２が設けられている。このように、各放射電極が囲われるように第３および第４の導電線２７１，２７２が設けられる場合には、放射電極間の相互の影響（カップリング）を低減されることができる。
【００５１】
Ｂ．第２実施例：
Ｂ−１．通信用アダプタの基板の構成：
図６は、第２実施例における通信用アダプタの内部構成を示す説明図であり、図２に対応する。図６（Ａ）は比較例における通信用アダプタ３００ｚの内部構成を示しており、図６（Ｂ）は第２実施例における通信用アダプタ３００の内部構成を示している。
【００５２】
図６（Ａ）に示すように、通信用アダプタ３００ｚの内部には、略矩形の基板３０２ｚが設けられている。ただし、基板３０２ｚの図中＋Ｙ側の２つの隅は、切り落とされている。基板３０２ｚの裏面（すなわち図中−Ｚ側の面）には、グランドレベルに設定される導電パターン（ベタパターン）３５０ｚが形成されており、基板３０２ｚの表面（すなわち図中＋Ｚ側の面）には、２つの放射電極３１１，３１２と、２つの給電用パターン３２１，３２２と、が設けられている。
【００５３】
導電パターン３５０ｚは、基板３０２ｚの−Ｙ側の辺から＋Ｙ側の辺に向けて連続する２つの導電領域３５１，３５２を含んでいる。第１の導電領域３５１は、基板３０２ｚの幅とほぼ等しい幅Ｄｄを有する矩形領域であり、第２の導電領域３５２は、幅Ｄｄよりも小さな幅Ｄｅを有する矩形領域である。なお、導電パターン３５０ｚは、Ｙ方向と平行な中心線ＣＬに対して対称に形成されている。
【００５４】
２つの放射電極３１１，３１２は、導電パターン３５０ｚと重ならないように、基板３０２ｚの＋Ｙ側の２つの隅の付近に設けられている。第１の放射電極３１１は、第２の導電領域３５２の−Ｘ側の領域に設けられており、第２の放射電極３１２は、第２の導電領域３５２の＋Ｘ側の領域に設けられている。
【００５５】
図６（Ａ）に示すように、各放射電極３１１，３１２が基板の＋Ｙ側に配置され、導電パターン３５０ｚの殆どの部分（より具体的には、第１の導電領域３５１）が基板の−Ｙ側に配置されている場合には、図２（Ａ）の場合と同様に、各放射電極３１１，３１２の放射指向性は−Ｙ側で比較的高くなり、＋Ｙ側で比較的低くなる。
【００５６】
そこで、本実施例でも、図６（Ｂ）に示すように、導電パターン３５０の形状を工夫して、通信用アダプタ３００の＋Ｙ側の放射指向性を改善している。
【００５７】
具体的には、本実施例の導電パターン３５０は、比較例の導電パターン３５０ｚ（図６（Ａ））と同様に、２つの導電領域３５１，３５２を含んでいる。また、導電パターン３５０は、第２の導電領域３５２の−Ｘ側および＋Ｘ側に設けられた２つの導電線３６１，３６２と、第２の導電領域３５２の−Ｘ側および＋Ｘ側に設けられた２つの導電線３７１，３７２と、を含んでいる。なお、導電パターン３５０は、Ｙ方向と平行な中心線に対して線対称に形成されている。
【００５８】
第１の導電線３６１は、略Ｌ字状の形状を有している。具体的には、第１の導電線３６１は、２つの直線状の部分導電線３６１ａ，３６１ｂで構成されており、第１の部分導電線３６１ａは比較的短く、第２の部分導電線３６１ｂは比較的長い。第１の部分導電線３６１ａは、第１の導電領域３５１と接続されており、基板３０２の−Ｘ側の辺に沿って＋Ｙ方向に延びている。第２の部分導電線３６１ｂは、第１の部分導電線３６１ａと接続されており、Ｘ方向と平行に第２の導電領域３５２付近まで延びている。なお、第２の導電線３６２は、第１の導電線３６１と対称に設けられており、第２の導電線３６２も、第１の導電線３６１と同様に、２つの直線状の部分導電線３６２ａ，３６２ｂで構成されている。
【００５９】
第３の導電線３７１は、直線状の形状を有している。第３の導電線３７１は、第２の導電領域３５２と接続されており、基板３０２の＋Ｙ側の辺に沿うように、基板の−Ｘ側の端部まで延びている。ただし、基板３０２の隅は切り落とされているため、第３の導電線３７１は、基板の−Ｘ側の辺までは至っていない。なお、第４の導電線３７２は、第３の導電線３７１と対称に設けられている。
【００６０】
図７は、導電パターン３５０の具体的な寸法の一例を示す説明図であり、図３に対応する。なお、以下では、−Ｘ側の寸法に注目して説明するが、＋Ｘ側の寸法も同様である。
【００６１】
図示するように、第２の導電領域３５２の−Ｘ側の辺は、基板３０２の−Ｘ側の辺から約１５．０ｍｍ内側に位置している。また、第２の導電領域３５２の−Ｘ側の辺の長さは、約１３．５ｍｍに設定されている。第１の導電線３６１に含まれる第２の部分導電線３６１ｂは、約０．５ｍｍの幅を有している。第１の導電領域３５１と第２の部分導電線３６１ｂとの間隔は、換言すれば、第１の部分導電線３６１ａの長さは、約１．０ｍｍに設定されている。第２の部分導電線３６１ｂと第２の導電領域３５２との間隔は、約０．５ｍｍに設定されている。上記の寸法から分かるように、第１および第２の部分導電線３６１ａ，３６１ｂを含む第１の導電線３６１は、約１５．５ｍｍの長さを有している。第３の導電線３７１は、約０．５ｍｍの幅、約８．８ｍｍの長さを有している。
【００６２】
本実施例では、上記の形状を有する導電パターン３５０を採用することによって、各放射電極３１１，３１２が基板の＋Ｙ側に配置され、導電パターン３５０の殆どの部分（より具体的には、第１の導電領域３５１）が基板の−Ｙ側に配置されている場合にも、図６（Ｂ）に示すように、＋Ｙ側の放射指向性を向上させることができる。
【００６３】
図６（Ｂ）に示すように、＋Ｙ側の放射指向性が向上するのは、第１および第２の導電線３６１，３６２が反射器として機能し、第３および第４の導電線３７１，３７２が導波器として機能するためであると考えられる。この説明から分かるように、図６（Ｂ）では、第１の放射電極３１１と、反射器として機能する第１の導電線３６１と、導波器として機能する第３の導電線３７１とが、第１のアンテナとして機能する。また、第２の放射電極３１２と、反射器として機能する第２の導電線３６２と、導波器として機能する第４の導電線３７２とが、第２のアンテナとして機能する。
【００６４】
また、本実施例でも、第１実施例と同様に、各放射電極３１１，３１２は、基板３０２の隅付近に配置されているため、他の電子部品の影響を受け難く、各放射電極を含む各アンテナのアンテナ特性を向上させることができる。
【００６５】
さらに、本実施例でも、第１実施例と同様に、２つの放射電極３１１，３１２の間を通るように、第１の導電領域３５１と接続された第２の導電領域３５２が延びているため、放射電極間の相互の影響（カップリング）が低減され、この結果、各放射電極を含む各アンテナのアンテナ特性を向上させることができる。
【００６６】
なお、本実施例における第１および第２の放射電極３１１，３１２が本発明における第１および第２の放射電極に相当し、第１の導電領域３５１が本発明における第１の導電領域に相当する。そして、本実施例における第１の放射電極３１１と第１の導電領域３５１との間に設けられた導電線３６１が、本発明における第１の導電線に相当し、第１の放射電極３１１の＋Ｙ側に設けられた導電線３７１が本発明における第２の導電線に相当する。第１の導電領域３５１と接続され、２つの放射電極の間を通る第２の導電領域３５２が本発明における第２の導電領域に相当する。
【００６７】
Ｂ−２．導電パターンに応じた放射指向性：
図８は、基板に設けられた導電パターンの種々の例を示す説明図であり、図４に対応する。図８（Ａ）の第１の基板３０２ａは、図６（Ａ）の基板３０２ｚと同じであり、第１の基板３０２ａには、２つの導電領域３５１，３５２を含む導電パターン３５０ａが形成されている。
【００６８】
図８（Ｂ）の第２の基板３０２ｂは、図８（Ａ）の第１の基板３０２ａとほぼ同じであるが、第２の基板３０２ｂに形成された導電パターン３５０ｂでは、図６（Ｂ）に示す第３および第４の導電線３７１，３７２が追加されている。
【００６９】
図８（Ｃ）の第３の基板３０２ｃは、図８（Ａ）の第１の基板３０２ａとほぼ同じであるが、第３の基板３０２ｃに形成された導電パターン３５０ｃでは、図６（Ｂ）に示す第１および第２の導電線３６１，３６２が追加されている。
【００７０】
図８（Ｄ）の第４の基板３０２ｄは、図６（Ｂ）の基板３０２と同じであり、第４の基板３０２ｄには、２つの導電領域３５１，３５２と、第１および第２の導電線３６１，３６２と、第３および第４の導電線３７１，３７２と、を含む導電パターン３５０ｄが形成されている。
【００７１】
図９は、放射電極を含むアンテナの放射指向性を示すグラフであり、図５に対応する。図９（Ａ）〜（Ｄ）のグラフは、それぞれ図８（Ａ）〜（Ｄ）に示す第１の放射電極３１１を含む第１のアンテナのＸＹ面における放射指向性を示している。
【００７２】
図８（Ａ）の導電パターン３５０ａが採用される場合には、図９（Ａ）に示すように、放射指向性は、−Ｙ側で比較的高く、＋Ｙ側で比較的低い。図８（Ｂ）の導電パターン３５０ｂが採用される場合にも、図９（Ｂ）に示すように、放射指向性は、−Ｙ側で比較的高く、＋Ｙ側で比較的低い。一方、図８（Ｃ），（Ｄ）の導電パターン３５０ｃ，３５０ｄが採用される場合には、図９（Ｃ），（Ｄ）に示すように、＋Ｙ側の放射指向性が向上している。
【００７３】
すなわち、図８（Ｃ），（Ｄ）に示すように、第１の放射電極３１１と第１の導電領域３５１との間に、第１の導電線３６１を設けることによって、第１の導電線３６１が設けられていない場合と比較して、第１の放射電極３１１を含むアンテナの＋Ｙ側の放射指向性を向上させることができる。
【００７４】
なお、本実施例では、前述したように、図８（Ｄ）の導電パターン３５０ｄが採用されているが、これに代えて、図８（Ｃ）の導電パターン３５０ｃが採用されてもよい。
【００７５】
ただし、図８（Ｄ）の導電パターン３５０ｄを採用すれば、より具体的には、各放射電極が囲われるように第３および第４の導電線３７１，３７２が設けられていれば、第１実施例で説明したように、＋Ｙ側の放射指向性を向上させることができると共に、放射電極間のカップリングを抑制することができるという利点がある。
【００７６】
なお、この発明は上記の実施例や実施形態に限られるものではなく、その要旨を逸脱しない範囲において種々の態様で実施することが可能であり、例えば次のような変形も可能である。
【００７７】
（１）上記実施例では、放射電極としてチップアンテナが利用されているが、これに代えて、放射電極は、基板上に形成されたパターンによって構成されてもよい。
【００７８】
（２）上記実施例では、放射電極と導電パターンとは、基板の異なる面に設けられているが、これに代えて、同じ面に設けられていてもよい。例えば、放射電極と導電パターンとは、基板の表面（＋Ｚ側の面）に設けられていればよい。この場合には、スルーホールを利用して、放射電極に接続される給電用パターンが基板の裏面（−Ｚ側の面）に設けられていればよい。一般には、グランドレベルに設定される導電領域が、放射電極と重ならないように設けられていればよい。
【００７９】
（３）第１実施例では、第２の導電領域２５２の幅Ｄｂ（図２）は、第３の導電領域２５３の幅Ｄｃよりも大きく設定されているが、これに代えて、第３の導電領域２５３と同じ幅に設定されていてもよい。
【００８０】
（４）上記実施例（図２（Ｂ），図６（Ｂ））では、反射器として機能する導電線２６１，２６２，３６１，３６１に含まれる比較的長い部分導電線は、Ｘ方向と平行に設けられているが、これに代えて、Ｘ方向から傾いた状態で設けられていてもよい。例えば、図２（Ｂ）の第１の部分導電線２６１ａの−Ｘ側の端部が＋Ｘ側の端部よりも＋Ｙ側に位置していてもよいし、−Ｙ側に位置していてもよい。なお、この場合には、第３および第５の部分導電線２６１ｃ，２６１ｅは、第１の部分導電線２６１ａとほぼ平行であることが好ましい。また、図６（Ｂ）の第２の部分導電線３６１ｂの＋Ｘ側の端部が−Ｘ側の端部よりも＋Ｙ側に位置していてもよいし、−Ｙ側に位置していてもよい。
【００８１】
（５）第１実施例（図２（Ｂ））では、反射器として機能する導電線２６１，２６２は、折り返されているが、第２実施例の導電線３６１，３６２（図６（Ｂ））のように、折り返されていなくてもよい。ただし、反射器として機能する導電線２６１，２６２が折り返されていれば、基板の幅（Ｘ方向の長さ）が小さい場合にも、該導電線の長さを長くすることができる。
【００８２】
（６）上記実施例（図２（Ｂ），図６（Ｂ））では、各放射電極の−Ｙ側に反射器として機能する導電線が１つだけ設けられているが、これに代えて、複数設けられるようにしてもよい。こうすれば、＋Ｙ側の放射指向性をさらに向上させることができる。
【００８３】
（７）第１実施例では、反射器として機能する導電線２６１，２６２は、第２の導電領域２５２と接続されており、グランドレベルに設定されるが、これに代えて、第２の導電領域２５２と分離され、グランドレベルに設定されないようにしてもよい。同様に、第２実施例では、反射器として機能する導電線３６１，３６２は、第１の導電領域３５１と接続されており、グランドレベルに設定されるが、これに代えて、第１の導電領域３５１と分離され、グランドレベルに設定されないようにしてもよい。これらの場合にも、上記実施例と同様に、＋Ｙ側の放射指向性を向上させることができる。
【００８４】
なお、上記のように、反射器として機能する導電線がグランドレベルに設定されない場合には、該導電線は、基板の表面、すなわち放射電極が設けられる面と同じ面に形成されていてもよい。
【００８５】
（８）上記実施例（図２（Ｂ），図６（Ｂ））では、導波器として機能する導電線２７１，２７２，３７１，３７２は、基板の＋Ｙ側の辺に沿って設けられているが、これに代えて、基板の＋Ｙ側の辺から離れた位置に設けられていてもよい。また、導電線２７１，２７２，３７１，３７２は、Ｘ方向と平行に設けられているが、これに代えて、Ｘ方向から傾いた状態で設けられていてもよい。例えば、図２（Ｂ），図６（Ｂ）の導電線２７１，３７１の−Ｘ側の端部が＋Ｘ側の端部よりも＋Ｙ側に位置していてもよいし、−Ｙ側に位置していてもよい。
【００８６】
（９）上記実施例（図２（Ｂ），図６（Ｂ））では、導波器として機能する導電線２７１，２７２，３７１，３７２は、直線状の形状を有しているが、これに代えて、折り返されるようにしてもよい。
【００８７】
（１０）上記実施例（図２（Ｂ），図６（Ｂ））では、各放射電極の＋Ｙ側に導波器として機能する導電線が１つだけ設けられているが、これに代えて、複数設けられるようにしてもよい。こうすれば、＋Ｙ側の放射指向性をさらに向上させることができる。
【００８８】
（１１）第１実施例では、導波器として機能する導電線２７１，２７２は、第３の導電領域２５３と接続されており、グランドレベルに設定されるが、これに代えて、第３の導電領域２５３と分離され、グランドレベルに設定されないようにしてもよい。同様に、第２実施例では、導波器として機能する導電線３７１，３７２は、第２の導電領域３５２と接続されており、グランドレベルに設定されるが、これに代えて、第２の導電領域３５２と分離され、グランドレベルに設定されないようにしてもよい。これらの場合にも、上記実施例と同様に、＋Ｙ側の放射指向性を向上させることができる。
【００８９】
なお、上記のように、導波器として機能する導電線がグランドレベルに設定されない場合には、該導電線は、基板の表面、すなわち放射電極が設けられる面と同じ面に形成されていてもよい。
【００９０】
（１２）上記実施例では、導波器として機能する導電線２７１，２７２，３７１，３７２の長さ（第１実施例では約１９．５ｍｍ，第２実施例では約８．８ｍｍ）は、反射器として機能する導電線２６１，２６２，３６１，３６２の長さ（第１実施例では約２５．５ｍｍ，第２実施例では約１５．５ｍｍ）よりも短く設定されている。導電領域の形状にも依存するが、一般には、反射器として機能する導電線の実質的な長さは、放射電極の実質的な長さよりも長いことが好ましい。また、導波器として機能する導電線の実質的な長さは、放射電極の実質的な長さよりも短いことが好ましい。ここで、「実質的な長さ」は、実効比誘電率が１の場合の長さを意味する。
【００９１】
（１３）上記実施例では、導電パターンは、中心線ＣＬに対して対称に形成されているが、これに代えて、非対称に形成されていてもよい。例えば、第１の放射電極２１１に関しては、反射器として機能する導電線が設けられ、第２の放射電極２１２に関しては、反射器として機能する導電線が設けられないようにしてもよい。
【００９２】
また、上記実施例では、基板には２つの放射電極が設けられているが、これに代えて、１つの放射電極のみが設けられるようにしてもよい。この場合には、該１つの放射電極は、基板の＋Ｙ側の一方の隅付近に設けられていてもよいし、基板の＋Ｙ側の辺の中央付近に設けられていてもよい。このように、放射電極は、基板の端部付近に設けられることが好ましい。そして、グランドレベルに設定される比較的大きな面積を有する導電領域は、放射電極から離れた位置に設けられることが好ましい。
【００９３】
（１４）上記実施例では、着脱可能なカード型の通信用アダプタに本発明が適用されているが、着脱可能であるか否かに拘わらず、他の装置に本発明が適用されてもよい。例えば、図１のアクセスポイントとして機能する第２の通信デバイス５０Ｂに本発明が適用されてもよい。また、携帯電話やＰＤＡ（Personal Digital(Data) Assistants）などの携帯情報端末に本発明が適用されてもよい。
【図面の簡単な説明】
【００９４】
【図１】通信システムの一例を示す説明図である。
【図２】通信用アダプタの内部構成を示す説明図である。
【図３】導電パターン２５０の具体的な寸法の一例を示す説明図である。
【図４】基板に設けられた導電パターンの種々の例を示す説明図である。
【図５】放射電極を含むアンテナの放射指向性を示すグラフである。
【図６】第２実施例における通信用アダプタの内部構成を示す説明図である。
【図７】導電パターン３５０の具体的な寸法の一例を示す説明図である。
【図８】基板に設けられた導電パターンの種々の例を示す説明図である。
【図９】放射電極を含むアンテナの放射指向性を示すグラフである。
【符号の説明】
【００９５】
５０Ａ，５０Ｂ…通信デバイス
１００…コンピュータ
２００…通信用アダプタ
２０２…基板
２１１，２１２…放射電極
２２１，２２２…給電用パターン
２５０…導電パターン
２５１〜２５３…導電領域
２６１…導電線（反射器）
２６１ａ〜２６１ｅ…部分導電線
２６２…導電線（反射器）
２６２ａ〜２６２ｅ…部分導電線
２６６…導電線（反射器）
２６７…導電線（反射器）
２７１…導電線（導波器）
２７２…導電線（導波器）
３００…通信用アダプタ
３０２…基板
３１１，３１２…放射電極
３２１，３２２…給電用パターン
３５０…導電パターン
３５１，３５２…導電領域
３６１…導電線（反射器）
３６１ａ，３６１ｂ…部分導電線
３６２…導電線（反射器）
３６２ａ，３６２ｂ…部分導電線
３７１…導電線（導波器）
３７２…導電線（導波器）
【図１】
2006237915.tif 000003
【図２】
2006237915.tif 000004
【図３】
2006237915.tif 000005
【図４】
2006237915.tif 000006
【図５】
2006237915.tif 000007
【図６】
2006237915.tif 000008
【図７】
2006237915.tif 000009
【図８】
2006237915.tif 000010
【図９】
2006237915.tif 000011